(57)【要約】【課題】拘束による不快感を解消すると共に着崩れを抑制させ、着付けを容易にする襦袢、及び襟部材を提供する。【解決手段】襦袢１０は、襟首の近傍に凸スナップ２６ａを有する襦袢本体２０と、長手方向の一辺に設けられた第２の凹スナップ５２にて凸スナップ２６ａに取り付けられて襦袢本体２０の小襟２６に沿って長手方向の一辺を配置される帯状の襟部材５０とを備える。襟部材５０は、長手方向の両端に衣紋抜き用帯３０を通す第１襟合わせ調整用ループ５３Ａ〜５３Ｃを備える。【選択図】図１
2009041155.tif 000002
【特許請求の範囲】
【請求項１】
襟首の近傍に第１の固定具を有する襦袢本体と、
長手方向の一辺に設けられた第２の固定具にて前記第１の固定具に取り付けられて前記襦袢本体の襟に沿って長手方向の一辺が配置され、人体胸部で交差されて前記長手方向の両端部がそれぞれ人体腹部まで到達する帯長を有する略帯状の襟部材とを備え、
当該襟部材は、前記長手方向の両端にそれぞれ前記襦袢本体に対する位置を固定する固定部を有する
ことを特徴とする襦袢。
【請求項２】
前記固定部は、
前記襟部材の長手方向の端にそれぞれ設けられた第１固定ループを備えた
ことを特徴とする請求項１記載の襦袢。
【請求項３】
長さ調整可能に構成された両端にフックを有する固定部材を備え、
前記固定部は、
前記襟部材の長手方向の一辺の両端近傍に設けられた第２固定ループを備え、
当該第２固定ループは、前記固定部材のフックを挿入可能に構成されている
ことを特徴とする請求項２記載の襦袢。
【請求項４】
前記襦袢本体を介して人体腰部に巻かれるベルト部材を備え、
前記ベルト部材は、前記人体腰部に巻かれたときの人体前面側の表面領域に、前記襟部材の両端部をそれぞれ取り付けるための第１の面テープ領域を有し、
前記固定部は、前記長手方向の両端部における着付時に前記人体腹部側となる領域に、前記ベルト部材の前記第１の面テープ領域内の任意の位置に付け外し可能な第２の面テープ領域を備える
ことを特徴とする請求項１記載の襦袢。
【請求項５】
第３の面テープ領域を有する帯を備え、
前記襦袢本体は、背面側に前記第３の面テープ領域に付け外し可能な第４の面テープ領域を有する
ことを特徴とする請求項１乃至請求項４のいずれか１項記載の襦袢。
【請求項６】
着物の下に着用される襦袢本体の襟に沿って配置される襟部材であって、
前記襦袢本体の襟に沿って長手方向の一辺が配置され人体胸部で交差されて前記長手方向の両端部がそれぞれ人体腹部まで到達する帯長を有する略帯状の襟部材本体と、
該襟部材本体における長手方向の一辺に設けられ、前記襦袢本体の襟に沿って当該長手方向の一辺を配置するために襦袢本体に固定するための固定具と、
前記長手方向の両端にそれぞれ設けられた前記襦袢本体に対する位置を固定する固定部とを備えた
ことを特徴とする襟部材。
【発明の詳細な説明】
【技術分野】
【０００１】
本発明は、着物の下に着用される襦袢、及びその襦袢の襟に沿って配置される襟部材に関する。
【背景技術】
【０００２】
近年、日本人の着物離れが進んでいる。この着物離れの要因として、例えば、着物の着用手順が煩わしいという点が挙げられる。一般的に、初心者であれば、着物を一人で着用することは困難であり、着物の着用は、一定の技術を必要とする。
【０００３】
以下、このような問題を有する従来の着物の着付けの手順について説明する。先ず、着用者は、最初に下半身に裾よけ、上半身に肌襦袢を装着する。続いて、着用者は、それらの上に長襦袢を着て、最後に長襦袢の上に着物を着る。また、着用者は、着崩れを防ぐため、着物の上から腰紐、伊達締め、帯、帯締め等の複数の紐状（帯状）の拘束具を巻く。なお、この拘束具は、着物及び長襦袢と別個独立な物であり、着崩れを防止するため、強固に人体に巻かれることとなる。
【０００４】
１．「ここで、一般的に美しい着物の着用状態は、衣紋（襟の後部）が適量抜かれ、着物の襟から長襦袢の襟が均一の長さ出ている状態とされている。なお、このような状態とすることを襟合わせと呼ぶ。」２．「ところが、衣紋の抜き加減、及び襟合わせは、装う用途や年齢に応じて変化させなければならない。しかし、その襟の構造自体が人間のあらゆる動作に逆らうものであり、身体と衣服の関係においては世界でも類を見ない構造となっている。」３．「つまり、上記の着付けの手順における重要なポイントは、着物の土台となる長襦袢の着用にあるといえる。」
しかしながら、その長襦袢の着用手順にあっても、襟（衿）抜き、襟合わせの他裄（腕の長さ）や袖丈の調整、更には半襟の付け替えなど、多様な工程があり、非常に煩雑なものである。
【０００５】
また、上記のように複数の拘束具を有する構成は、畳んで収納される、或いは解いて仕立て直しをするといった着物特有の管理面からみると、利点であるものの、着用者が動く場合等、拘束具の締め付けから生じる不快感は大きい。
【０００６】
これら問題点に対して、解決策を提示した襦袢（半襦袢、七部丈襦袢）が開示されている（例えば、特許文献１参照）。この特許文献１に記載の襦袢は、両端に着脱自在テープを設けた伸縮可能な帯を背面に設けられたループに通している。また、襦袢本体の襟に着脱可能な半襟（襟部材）を設けている。
【特許文献１】特開２００１−５５６０１号公報
【発明の開示】
【発明が解決しようとする課題】
【０００７】
しかしながら、特許文献１に記載の襦袢を着用する場合、正面からみた半襟の着用者の首に対する角度は、襦袢の襟の位置により決まる。したがって、襟合わせがうまくいかなかった場合、襦袢を着直さなければならず、その着付けは煩雑なものである。
【０００８】
そこで、本発明は、拘束による不快感を解消すると共に着崩れを抑制させ、着付けを容易にする襦袢、及び襟部材を提供することを目的とする。
【課題を解決するための手段】
【０００９】
本発明の一態様に係る襦袢は、襟首の近傍に第１の固定具を有する襦袢本体と、長手方向の一辺に設けられた第２の固定具にて前記第１の固定具に取り付けられて前記襦袢本体の襟に沿って長手方向の一辺が配置され、人体胸部で交差されて前記長手方向の両端部がそれぞれ人体腹部まで到達する帯長を有する略帯状の襟部材とを備え、当該襟部材は、前記長手方向の両端にそれぞれ前記襦袢本体に対する位置を固定する固定部を有することを特徴とする。
【００１０】
上記構成により、本発明の一態様に係る襦袢においては、先ず、第２の固定具を第１の固定具に取り付けて襟部材を襦袢本体の襟に沿って配置させ、襟部材の両端を交差させて固定部にてその両端を襦袢本体に対して固定することができる。つまり、襦袢本体のどの位置であっても襟部材の両端を固定可能であるので、襦袢本体を着直すことなく、その取り付ける位置によって、着用者の首に対する正面からみた襟部材の角度を変えることができる。
【００１１】
前記固定部は、前記襟部材の長手方向の端にそれぞれ設けられた第１固定ループを備える構成としてもよい。
【００１２】
さらに、長さ調整可能に構成された両端にフックを有する固定部材を備え、前記固定部は、前記襟部材の長手方向の一辺の両端近傍に設けられた第２固定ループを備え、当該固定ループは、前記固定部材のフックを挿入可能に構成されている構成としてもよい。このような構成とすることにより、より強固に襟部材の両端の襦袢本体に対する位置を固定することができる。
【００１３】
また、前記襦袢本体を介して人体腰部に巻かれるベルト部材を備え、前記ベルト部材は、前記人体腰部に巻かれたときの人体前面側の表面領域に、前記襟部材の両端部をそれぞれ取り付けるための第１の面テープ領域を有し、前記固定部は、前記長手方向の両端部における着付時に前記人体腹部側となる領域に、前記ベルト部材の前記第１の面テープ領域内の任意の位置に付け外し可能な第２の面テープ領域を備える構成としてもよい。
【００１４】
また、第３の面テープ領域を有する帯を備え、前記襦袢本体は、背面側に前記第３の面テープ領域に付け外し可能な第４の面テープ領域を有する構成としてもよい。このような構成とすることにより、容易に衣紋抜き等を行うことができる。
【００１５】
本発明の一態様に係る襟部材は、着物の下に着用される襦袢本体の襟に沿って配置される襟部材であって、前記襦袢本体の襟に沿って長手方向の一辺が配置され人体胸部で交差されて前記長手方向の両端部がそれぞれ人体腹部まで到達する帯長を有する略帯状の襟部材本体と、該襟部材本体における長手方向の一辺に設けられ、前記襦袢本体の襟に沿って当該長手方向の一辺を配置するために襦袢本体に固定するための固定具と、前記長手方向の両端にそれぞれ設けられた前記襦袢本体に対する位置を固定する固定部とを備えたことを特徴とする。
【発明の効果】
【００１６】
本発明によれば、拘束による不快感を解消すると共に着崩れを抑制させ、着付けを容易にする襦袢、及び襟部材を提供することが可能となる。
【発明を実施するための最良の形態】
【００１７】
以下、図面を参照して、本発明に係る襦袢の実施形態について説明する。
【００１８】
（第１実施形態）
先ず、図１〜図３を参照して、本発明の第１実施形態に係る襦袢１０を説明する。図１は、本発明の一実施形態に係る襦袢１０の着用例の正面図であり、図２は、その背面図であり、図３は、その側面図である。
【００１９】
図１〜図３に示すように、第１実施形態に係る襦袢１０は、主に、襦袢本体２０と、襦袢本体２０に取り付けられる付け袖４０（右付け袖４１，左付け袖４２）と、襦袢本体２０の小襟２６（図４参照）に沿って長手方向の一辺が配置される帯状の襟部材５０と、襟部材５０の両端を結びその位置を固定する固定部材６０とから構成されている。
【００２０】
次に、図４及び図５を参照して、襦袢本体２０の構成について説明する。図４は、襦袢本体２０に後述する右袖用フリル７１，左袖用フリル７２を取り付けた状態を示す正面図であり、図５は、襦袢本体２０に付け袖４０を取り付けた状態を示す背面図である。図４及び図５に示すように、襦袢本体２０は、主に、着用者Ｈの前方右側に接する右前身頃２１、着用者Ｈの前方左側に接する左前身頃２２、着用者Ｈの後方に接する後身頃２３、着用者Ｈの右腕を通す右袖２４、着用者Ｈの左腕を通す左袖２５を有する。なお、これら右前身頃２１、左前身頃２２、後身頃２３、右袖２４、及び左袖２５は、縫い目を介して縫い合わされている。また、着用時に、着用者Ｈの正面にて右前身頃２１と左前身頃２２とが合わせられる。
【００２１】
右前身頃２１の端部２１ａ及び左前身頃２２の端部２２ａは、着用時に着用者Ｈの腰に相当する位置付近まで下端から上方向に略直線状のラインを形成するように裁断されている。また、着用時に右前身頃２１の端部２１ａ及び左前身頃２２の端部２２ａの腰の位置付近から上方に亘って小襟２６を構成するように裁断されている。小襟２６は、着用者Ｈの首に接する部分である。小襟２６において、着用時に着用者Ｈの背面側に相当する位置には、５つの凹スナップ２６ａが等間隔に設けられている。
【００２２】
小襟２６の両端部には、帯状に延びる小襟両端部帯２１ｂ、２２ｂが設けられている。換言すると、小襟両端部帯２１ｂ、２２ｂは、右前身頃２１の端部２１ａ及び左前身頃２２の端部２２ａの腰の位置付近に設けられている。なお、小襟両端部帯２１ｂ，２２ｂは、着用時に着用者Ｈの腰部に巻き付けられる。
【００２３】
後身頃２３には、着用時に、着用者Ｈの両肩間の下方に相当する位置に衣紋抜き用ループ２７が設けられている。衣紋抜き用ループ２７は、後身頃２３に矩形状の布の上下両端を縫いつけたものである。なお、この衣紋抜き用ループ２７には、小襟両端部帯２１ｂ、２２ｂが通される。また、後身頃２３と左前身頃２２との間、襦袢本体２０を着用時に着用者Ｈの左腰に相当する位置には、帯通し口（開口）２０１が設けられている。
【００２４】
右袖２４と右前身頃２１との間、及び右袖２４と後身頃２３との間には、矩形状の４つの凸面テープ２４ａが設けられている。これら４つの凸面テープ２４ａに、右付け袖４１が取り付けられる。なお、右付け袖４１の裏地には、凸面テープ２４ａに取り付け可能なように凹面テープ４１ａが設けられている。右袖２４の袖口には、凹スナップ２４ｂが設けられている。この凹スナップ２４ｂには、端部に凸スナップ７１ａを有する右袖用フリル７１が取り付けられる。また、右袖２４と右前身頃２１と後身頃２３との間、襦袢本体２０を着用時に着用者Ｈの右脇に相当する位置には、身八ッ口（開口）２０２が設けられている。
【００２５】
左袖２５と左前身頃２２との間、及び左袖２５と後身頃２３との間には、矩形状の４つの凸面テープ２５ａが設けられている。これら４つの凸面テープ２５ａに、左付け袖４２が取り付けられる。なお、左付け袖４２の裏地には、凸面テープ２５ａに取り付け可能なように凹面テープ４２ａが設けられている。左袖２５の袖口には、凹スナップ２５ｂが設けられている。この凹スナップ２５ｂには、端部に凸スナップ７２ａを有する左袖用フリル７２が取り付けられる。また、左袖２５と左前身頃２２と後身頃２３との間、襦袢本体２０を着用時に着用者Ｈの左脇に相当する位置には、身八ッ口（開口）２０３が設けられている。
【００２６】
次に、図６〜図８を参照して、襟部材５０の構成について説明する。図６は、襟部材５０の裏面図であり、図７は、その表面図であり、図８は、その部分拡大裏面図である。
【００２７】
図６〜図８に示すように、襟部材５０は、略帯状（帯状も含む）の形状を有する。着用時、襟部材５０は、帯状の帯部材本体５１の長手方向の一辺を小襟２６に配置される。また、襟部材５０は、着用時に着用者Ｈの首周りの所定位置に配されるように左右対称に緩やかな波状に形成されている。襟部材５０は、着用者Ｈの胸部で交差されて長手方向の両端がそれぞれ着用者Ｈの腹部まで到達する帯長を有している（図１参照）。
【００２８】
襟部材本体５１は、矩形状の芯５１１、及びその芯５１１を包む布地５１２から構成されている。芯５１１は、例えば、可撓性を有するプラスチックにて形成されている。この芯５１１により、襟部材本体５１は、適度な張り感を有している。
【００２９】
襟部材本体５１は、裏面であって長手方向の一辺中心付近に等間隔に配置された５つの凸スナップ５２を有する。これら凸スナップ５２は、小襟２６に設けられた凹スナップ２６ａに取り付けられる。
【００３０】
襟部材本体５１は、長手方向の両端にそれぞれ設けられ、小襟両端部帯２１ｂ、２２ｂが通される第１襟合わせ調整用ループ５３Ａ〜５３Ｃ、及び長手方向の一辺の両端近傍にそれぞれ設けられた第２襟合わせ調整用ループ５４Ａ，５４Ｂを備える。詳細は後述するが、これら第１襟合わせ調整用ループ５３Ａ〜５３Ｃ及び第２襟合わせ調整用ループ５４Ａ，５４Ｂが、襦袢本体２０に対する位置を固定する固定部として機能する。
【００３１】
第１襟合わせ調整用ループ５３Ａ〜５３Ｃは、襟部材本体５１の両端に連続して形成されている。ここで、上述した衣紋抜き用帯３０は、第１襟合わせ調整用ループ５３Ａ〜５３Ｃのいずれかに通して人体側部へと襟部材５０の両端を引きつけた状態で人体腰部にて両端を結べる長さを有している。第２襟合わせ調整用ループ５４Ａ，５４Ｂは、後述する固定部材６０のフック６２を挿通可能に構成されている。
【００３２】
次に、図９を参照して、固定部材６０の構成について説明する。図９は、固定部材６０の拡大表面図である。
【００３３】
図９に示すように、固定部材６０は、帯状の固定部材本体６１と、固定部材本体６１の両端に設けられたフック（Ｚカン）６２と、固定部材６０の全長を調整するアジャスター（エイトカン）６３とを有する。
【００３４】
固定部材本体６１は、化学繊維布等で、帯状に形成されている。固定部材本体６１の両端は、フック６２に設けられた挿通孔６２ａに挿通され、折り返されて縫製等により固定されている。また固定部材本体６１は、アジャスター６３に設けられた２つの孔６３ａ，６３ａに挿通され、長さ調節可能に構成されている。
【００３５】
フック６２は、プラスチック・金属等により、構成されている。固定部材本体６１が挿通される挿通孔６２ａが形成されている。挿通孔６２ａの幅は、固定部材本体６１を通しやすくするため、固定部材本体６１の幅より広く構成されている。また、フック６２は、第２襟合わせ調整用ループ５４Ａ，５４Ｂがかけられる爪部６２ｂを有する。爪部６２ｂは、一部分に切り欠きが設けられたループ形状となっており、そのループ形状の長手方向の幅は、第２襟合わせ調整用ループ５４Ａ，５４Ｂの幅よりも広く構成されている。
【００３６】
アジャスター６３は、プラスチック等により略長方形に形成され、左右に１つずつ孔６３ａが設けられている。孔６３ａには固定部材本体６１が、アジャスター６３を境にして一方が二重に他方が一重になるように通されている。したがって、固定部材本体６１に対するアジャスター６３の位置を調整することにより、一重の部分と二重の部分を調整して長さを決定することができる。このように、アジャスター６３の位置を調整することにより長さを調整することができるため、着用者Ｈの胸部における襟部材５０の交差角度を容易かつ安定的に調整することができる。
【００３７】
次に、再び、図１〜図３を参照して、本実施形態に係る小襟両端部帯２１ｂ、２２ｂによる衣紋抜きの手順、及び襦袢１０の着用手順について説明する。
【００３８】
先ず、着用者Ｈは、襟部材５０の凸スナップ５２を小襟２６の凹スナップ２６ａに取り付ける。次に、着用者Ｈは、襦袢本体２０を着用し、襟部材５０の両端を着用者Ｈの胸部で交差させ、さらにその両端部を着用者Ｈの腹部へともってくる。続いて、着用者Ｈは、右前身頃２１の小襟２６の先端に延びる小襟両端部帯２１ｂを左腰部の帯通し口２０１に通す。次に、着用者Ｈは、各小襟両端部帯２１ｂ，２２ｂを後身頃２３に縫着されている衣紋抜き用ループ２７に通して、交差させる。
【００３９】
続いて、着用者Ｈは、各小襟両端部帯２１ｂ，２２ｂの両端を襟部材５０両端の第１襟合わせ調整用ループ５３Ａ〜５３Ｃのいずれかに通す。続いて、着用者Ｈは、各小襟両端部帯２１ｂ，２２ｂの両端を背面腰部に引き抜き、さらに交差させた後、着用者Ｈの前面腰部にて、それら両端を蝶結びする。
【００４０】
そして、着用者Ｈは、胸部の体型に合わせて固定部材６０の両端のフック６２を襟部材５０の両端の第２襟合わせ調整用ループ５４Ａ、５４Ｂのいずれかにかける。最後に、着用者Ｈは、固定部材６０のアジャスター６３を調整する。以上の工程が、着用者Ｈによる衣紋抜きの手順、及び襦袢１０の着用手順である。なお、付け袖４０（右付け袖４１、左付け袖４２）或いは右袖用フリル７１、左袖用フリル７２の襦袢本体２０への取り付けは、衣紋抜きを行う前或いは後のいずれも可能である。
【００４１】
上記の手順において、小襟２６に設けられた凹スナップ２６ａに、襟部材５０に設けられた凸スナップ５２が取り付けられる。これにより、襟部材５０の小襟２６の中心に対する位置が固定される。そして、襟部材５０の両端に設けられた第１襟合わせ調整用ループ５３Ａ〜５３Ｃに各小襟両端部帯２１ｂ，２２ｂを通して、それら各小襟両端部帯２１ｂ，２２ｂを背面腰部に引き抜くことにより、襟部材５０の両端に着用者Ｈの中心軸から離れる方向の第１の引張力が加わる。更に、固定部材６０のフック６２を襟部材５０の第２襟合わせ調整用ループ５４Ａ，５４Ｂに取り付け、アジャスター６３にて固定部材６０の長さ調整を行うことにより、襟部材５０の両端に着用者Ｈの中心軸へと向かう第２の方向の引張力が加わる。これら小襟２６における固定、第１及び第２の引張力により、襟部材５０の両端の襦袢本体２０に対する位置が固定される。
【００４２】
以上のように、本発明の第１実施形態に係る襦袢１０は、小襟両端部帯２１ｂ，２２ｂのみにより着用者Ｈの身体を拘束するので、一般的な従来の襦袢と比較して拘束による不快感を解消して着崩れを防止することができる。
【００４３】
また、上記構成から、着用者Ｈは、襦袢本体２０を着て、衣紋抜きを行った後であっても、襟部材５０の両端の取り付け位置を容易に変えることが可能である。換言すると、襦袢１０によれば、正面からみた襟部材５０の着用者Ｈの首に対する角度（襟合わせ角度）は、容易に変えることが可能であり、襟合わせがうまくいかなかった場合であっても、襦袢本体２０を着直す必要はない。また、襟部材５０は、上記のように容易に取り付け及び取り外しが可能な構成である。
【００４４】
つまり、上記第１実施形態に係る襦袢１０は、拘束による不快感を解消すると共に着崩れを抑制させ、用途に合わせた着付けを容易なものとする。
【００４５】
また、襦袢本体２０は、凸面テープ２４ａ，２５ａを有し、それら凸面テープ２４ａ，２５ａに付け袖４０の凹面テープ４１ａ，４２ａを取り付けて、付け袖４０を固定する構成を有している。したがって、凸面テープ２４ａ，２５ａの取り付け位置をずらすことにより、容易に付け袖４０の裄の長さの調整が可能となる。
【００４６】
また、襦袢本体２０は、右袖２４及び左袖２５の袖口に凹スナップ２４ｂ，２５ｂを有している。これら凹スナップ２４ｂ，２５ｂには、右袖用フリル７１の凸スナップ７１ａ及び左袖用フリル７２の凸スナップ７２ａが取り付けられる。したがって、付け袖４０を取り付けることなく、右袖２４及び左袖２５の袖口に右袖用フリル７１及び左袖用フリル７２を取り付け、見栄えを良くすることができる。
【００４７】
（第２実施形態）
次に、図１０及び図１１を参照して、本発明の第２実施形態に係る襦袢１０ａを説明する。図１０は、第２実施形態に係る襦袢１０ａの着用例を示す正面図であり、図１１は、その背面図である。
【００４８】
図１０及び図１１に示すように、第２実施形態に係る襦袢１０ａは、第１実施形態と異なる襦袢本体２０ａ、衣紋抜き用帯３０、及び襟部材５０ａを有する。更に、襦袢１０ａは、衣紋抜きに用いられる衣紋抜き用帯３０と、襦袢本体２０ａを介して着用者Ｈに巻かれるベルト部材（ウエストベルト）８０とを有する。なお、第２実施形態において、第１実施形態と同様の構成については、同一符号を付し、その説明を省略する。
【００４９】
先ず、図１２及び図１３を参照して、襦袢本体２０ａの構成について説明する。図１２は、襦袢本体２０ａに右袖用フリル７１，左袖用フリル７２を取り付けた状態を示す正面図であり、図１３は、襦袢本体２０ａに付け袖４０を取り付けた状態を示す背面図である。図１２及び図１３に示すように、襦袢本体２０ａは、後身頃２３に衣紋抜き用ループ２７のかわりに、着用者Ｈの両肩それぞれの下方に相当する位置に衣紋抜き用凹面テープ２８が設けられている。衣紋抜き用凹面テープ２８は、矩形状であり、その長手方向が襦袢本体２０ａの上下方向となるように取り付けられている。また、襦袢本体２０ａは、小襟両端部帯２１ｂ，２２ｂのかわりに、補助用ループ２１ｃ，２２ｃを有している。換言すると、補助用ループ２１ｃ、２２ｃは、右前身頃２１の端部２１ａ及び左前身頃２２の端部２２ａの腰の位置付近に設けられている。なお、補助用ループ２１ｃ，２２ｃは、衣紋抜き用帯３０を通すために用いられる。
【００５０】
次に、図１４を参照して、衣紋抜き用帯３０の構成について説明する。図１４は、衣紋抜き用帯３０の裏面図である。図１４に示すように、衣紋抜き用帯３０は、帯状の布からなる帯本体３１、及び帯本体３１の裏面に２つの凸面テープ３２を有する。２つの凸面テープ３２は、衣紋抜き用凹面テープ２８の間に相当する距離だけ離間されて設けられている。凸面テープ３２は、衣紋抜き用凹面テープ２８に付け外し可能に形成されている。
【００５１】
次に、図１５〜図１７を参照して、ベルト部材８０の構成について説明する。図１５は、ベルト部材８０の裏面図であり、図１６は、その使用状態における正面図であり、図１７は、その使用状態における背面図である。
【００５２】
図１５〜図１７に示すように、ベルト部材８０は、帯状でありその長手方向の中心部が突出した形状を有する。ベルト部材８０は、一枚の布からなる帯状のベルト部材本体８１を着用者Ｈの腰に巻き付ける構成を有している。ベルト部材本体８１の表面及び裏面は、凹面テープ８１ａにて構成されている。ベルト部材本体８１の着用時、凹面テープ８１ａの一領域は、着用者Ｈの腹部側に位置する。
【００５３】
ベルト部材本体８１の長手方向の中心位置には、補正パット８２が設けられている。補正パット８２は、ベルト部材本体８１の長手方向よりも短い帯状部とその帯状部の中心から下方に突出した突出部を有する形状から構成されている。補正パット８２は、その帯上部をベルト部材本体８１の裏面に接着されている。補正パット８２は、所定の厚みを有しており、ベルト部材８０を着用時に着用者Ｈの両脇と尻の位置に配置される。
【００５４】
ベルト部材本体８１の裏面の長手方向の一端には、２つの矩形状の凸面テープ８４ａが設けられている。また、ベルト部材本体８１の表面の長手方向の他端には、２つの矩形状の凸面テープ８４ｂが設けられている。これら凸面テープ８４ａ、８４ｂは、ベルト部材８０の着用時にベルト部材本体８１の凹面テープ８１ａに付け外し可能に形成されている。
【００５５】
次に、図１８及び図１９を参照して、襟部材５０ａの構成について説明する。図１８は、襟部材５０ａの裏面図であり、図１９は、襟部材５０ａの表面図である。
【００５６】
図１８及び図１９に示すように、襟部材５０ａは、第１実施形態と異なり、第１襟合わせ調整用ループ５３Ａ〜５３Ｃ及び第２襟合わせ調整用ループ５４Ａ，５４Ｂを有していない。これらに代わって、襟部材５０ａは、長手方向の両端に帯状の広口ゴム５５を有する。広口ゴム５５は、伸縮する特性をもって構成されている。また、広口ゴム５５の裏面両端部には、凸面テープ５６が設けられている。凸面テープ５６は、ベルト部材本体８１の凹面テープ８１ａに付け外し可能に形成されている。なお、詳細は後述するが、この凸面テープ５６が、襦袢本体２０ａに対する位置を固定する固定部として機能する。
【００５７】
次に、再び、図１１及び図１２を参照して、本実施形態に係る衣紋抜き用帯３０による衣紋抜きの手順、及び襦袢１０ａの着用手順について説明する。
【００５８】
先ず、着用者Ｈは、襟部材５０ａの凸スナップ５２を小襟２６の凹スナップ２６ａに取り付ける。次に、着用者Ｈは、襦袢本体２０ａの衣紋抜き用凹面テープ２８の適切な位置に、衣紋抜き用帯３０の凸面テープ３２を取り付ける。続いて、着用者Ｈは、襦袢本体２０ａを着用する。次に、着用者Ｈは、衣紋抜き用帯３０の両端を補助用ループ２１ｃ、２２ｃに通し、両手で衣紋抜き用帯３０をよく引いた後、衣紋抜き用帯３０を後ろに回す。そして、着用者Ｈは、衣紋抜き用帯３０の両端を後ろで交差させた後、衣紋抜き用帯３０の両端を再び前に回して蝶結びをする。以上の工程が、着用者Ｈによる衣紋抜きの手順である。
【００５９】
次に、襦袢１０ａの着用手順にうつる。先ず、着用者Ｈは、ベルト部材８０を着用者Ｈの腰に巻き付ける。続いて、着用者Ｈは、襟部材５０ａの両端を着用者Ｈの胸部で交差させ、さらにその両端を着用者Ｈの腹部へともってくる。最後に、着用者Ｈは、襟部材５０ａの両端に設けられた凸面テープ５６をベルト部材８０の表面の凹面テープ８１ａに取り付ける。
【００６０】
上記の手順において、第１実施形態と同様に、小襟２６に設けられた凹スナップ２６ａに、襟部材５０ａに設けられた凸スナップ５２が取り付けられる。これにより、襟部材５０ａの小襟２６の中心に対する位置が固定される。そして、襟部材５０ａの裏面両端部に設けられた凸面テープ５６は、着用者Ｈの腰に巻き付けられたベルト部材８０の表面に設けられた凹面テープ８１ａに取り付けられる。これら小襟２６における固定、及び凸面テープ５６による取り付けにより、襟部材５０ａの両端の襦袢本体２０ａに対する位置が固定される。
【００６１】
以上のように、本発明の第２実施形態に係る襦袢１０ａは、ベルト部材８０及び衣紋抜き用帯３０のみにより着用者Ｈの身体を拘束するので、一般的な従来の襦袢と比較して拘束による不快感を解消して着崩れを防止することができる。また、襦袢１０ａによれば、正面からみた襟部材５０ａの着用者Ｈの首に対する角度は、容易に変えることが可能であり、襟合わせがうまくいかなかった場合であっても、襦袢本体２０ａを着直す必要はない。また、襟部材５０ａは、上記のように容易に取り付け及び取り外しが可能な構成である。
【００６２】
つまり、上記第２実施形態に係る襦袢１０ａは、第１実施形態と同様に、拘束による不快感を解消すると共に着崩れを抑制させ、着付けを容易なものとする。
【００６３】
また、襟部材５０ａは、長手方向に伸縮可能な広口ゴム５５を有する。このような構成とすることにより、襟部材５０ａの両端部が伸縮するため、着用者Ｈは、襟部材５０ａの両端部の引張力により襦袢本体２０ａに撓ませることなく襟部材５０ａを取り付け、着付けを行うことができる。
【００６４】
また、襦袢本体２０ａは、背面側の衣紋抜き用凹面テープ２８の適切な位置に衣紋抜き用帯３０の凸面テープ３２を取り付けられる。このような構成とすることにより、着用者Ｈの体型に合わせて衣紋抜きを行うことが可能となる。また、予め襦袢本体２０ａに衣紋抜き用帯３０を取り付けた状態で、襦袢本体２０ａを着ることができるので、容易に衣紋抜きを行うことができる。
【００６５】
また、襦袢本体２０ａは、小襟２６の両端部に上下両端を縫い付けられた衣紋抜き用帯３０を通す補助用ループ２１ｃ、２２ｃを有する。このような構成とすることにより、更に容易に衣紋抜きを行うことが可能となる。
【００６６】
また、ベルト部材８０は、着用者Ｈの腰に巻き付けた状態とし、ベルト部材本体８１の表面に設けられた凹面テープ８１ａに、ベルト部材本体８１の裏面両端に設けられた凸面テープ８４ａ，８４ｂを取り付けて固定する構成を有している。したがって、凸面テープ８４ａ，８４ｂを取り付ける位置を調整することにより、着用者Ｈの体型に合わせて補正パット８２を配置することが可能となる。
【００６７】
（第２実施形態の変形例）
次に、図２０を参照して、本発明の第２実施形態に係る襦袢１０ａの変形例を説明する。図２０は、第２実施形態の変形例に係る襦袢１０ａの襟部材５０ｂの表面図である。
【００６８】
図２０に示すように、第２実施形態の変形例において、第２実施形態と異なる構成は、襟部材５０ｂのみである。襟部材５０ｂは、第２実施形態の襟部材５０ａと同様の構成を有する。襟部材５０ｂは、第２実施形態の構成に加えて、更に、凸スナップ５２の長手方向の左右両側と広口ゴム５２との間に矩形状の凸面テープ５７、及び凹面テープ５８を有する。
【００６９】
凸面テープ５７は、襟部材本体５１の裏面側の布地５１２上、長手方向に延びる端部近傍に設けられている。凹面テープ５８は、襟部材本体５１の表面側の布地５１２上、長手方向に延びる端部近傍に設けられている。
【００７０】
上記凸面テープ５７及び凹面テープ５８は、襟部材５０ｂが小襟２６に配置されて着用者Ｈの胸部で交差された際に、互いに合わせられて固定される。したがって、第２実施形態の変形例に係る襟部材５０ｂは、第２実施形態よりもさらに、襦袢本体２０ａに対する位置を強固に固定することができる。また、凸面テープ５７と凹面テープ５８との取り付け可能範囲を広めに確保してあるので、着用者Ｈの胸部における襟部材５０ｂの交差角度を容易かつ安定的に調整することができる。
【００７１】
以上、発明の一実施形態を説明したが、本発明はこれらに限定されるものではなく、発明の趣旨を逸脱しない範囲内において種々の変更、追加、置換等が可能である。例えば、上記第１、第２実施形態、及びその変形例においては、襟部材５０，５０ａ，５０ｂは、装飾のない通常の構成であったが、伊達襟や、フリルをあしらった物としてもよい。
【００７２】
また、本発明は、上記第１、第２実施形態、及びその変形例における面テープの位置及び形状に限られるものではない。つまり、本発明は、上記実施形態の面テープと同様の付け外しが可能な領域（面テープ領域）を設ける構成であればよい。
【図面の簡単な説明】
【００７３】
【図１】本発明の第１実施形態に係る襦袢１０の着用例を示す正面図である。
【図２】本発明の第１実施形態に係る襦袢１０の着用例を示す背面図である。
【図３】本発明の第１実施形態に係る襦袢１０の着用例を示す側面図である。
【図４】本発明の第１実施形態に係る襦袢１０の襦袢本体２０に右袖用フリル７１，左袖用フリル７２を取り付けた状態を示す正面図である。
【図５】本発明の第１実施形態に係る襦袢１０の襦袢本体２０に付け袖４０を取り付けた状態を示す背面図である。
【図６】本発明の第１実施形態に係る襦袢１０の襟部材５０の裏面図である。
【図７】本発明の第１実施形態に係る襦袢１０の襟部材５０の表面図である。
【図８】本発明の第１実施形態に係る襦袢１０の襟部材５０の部分拡大裏面図である。
【図９】本発明の第１実施形態に係る襦袢１０の固定部材６０の表面図である。
【図１０】本発明の第２実施形態に係る襦袢１０ａの着用例を示す正面図である。
【図１１】本発明の第２実施形態に係る襦袢１０ａの着用例を示す背面図である。
【図１２】本発明の第２実施形態に係る襦袢１０ａの襦袢本体２０ａに右袖用フリル７１，左袖用フリル７２を取り付けた状態を示す正面図である。
【図１３】本発明の第２実施形態に係る襦袢１０ａの襦袢本体２０ａに付け袖４０を取り付けた状態を示す背面図である。
【図１４】本発明の第２実施形態に係る襦袢１０ａの衣紋抜き用帯３０の裏面図である。
【図１５】本発明の第２実施形態に係る襦袢１０ａのベルト部材８０の裏面図である。
【図１６】本発明の第２実施形態に係る襦袢１０ａのベルト部材８０の使用状態における正面図である。
【図１７】本発明の第２実施形態に係る襦袢１０ａのベルト部材８０の使用状態における背面図である。
【図１８】本発明の第２実施形態に係る襦袢１０ａの襟部材５０ａの裏面図である。
【図１９】本発明の第２実施形態に係る襦袢１０ａの襟部材５０ａの表面図である。
【図２０】本発明の第２実施形態の変形例に係る襦袢１０ａの襟部材５０ｂの表面図である。
【符号の説明】
【００７４】
１０，１０ａ…襦袢、２０，２０ａ…襦袢本体、２１…右前身頃、２２…左前身頃、２１ａ,２２ａ…端部、２１ｂ,２２ｂ…小襟両端部帯、２１ｃ,２２ｃ…補助用ループ、２３…後身頃、２４…右袖、２４ａ…凸面テープ、２４ｂ…凹スナップ、２５…左袖、２５ａ…凸面テープ、２５ｂ…凹スナップ、２６…小襟、２６ａ…凹スナップ、２７…衣紋抜き用ループ、２８…衣紋抜き用凹面テープ、３０…衣紋抜き用帯、３１…帯本体、３２…凸面テープ、４０…付け袖、４１…右付け袖、４１ａ…凹面テープ、４２…左付け袖、４２ａ…凹面テープ、５０，５０ａ，５０ｂ…襟部材、５１…帯部材本体、５２…凸スナップ、５３…第１襟合わせ調整用ループ、５４…第２襟合わせ調整用ループ、５５…広口ゴム、５６…凸面テープ、５７…凸面テープ、５８…凹面テープ、６０…固定部材、６１…固定部材本体、６２…フック、６３…アジャスター、７１…右袖用フリル、７１ａ…凸スナップ、７２…左袖用フリル、７２ａ…凸スナップ、８０…ベルト部材、８１…ベルト部材本体、８１ａ…凹面テープ、８２…補正パット、８４ａ，８４ｂ…凸面テープ、２０１…帯通し口（開口）、２０２，２０３…身八ッ口（開口）。
【図１】
2009041155.tif 000003
【図２】
2009041155.tif 000004
【図３】
2009041155.tif 000005
【図４】
2009041155.tif 000006
【図５】
2009041155.tif 000007
【図６】
2009041155.tif 000008
【図７】
2009041155.tif 000009
【図８】
2009041155.tif 000010
【図９】
2009041155.tif 000011
【図１０】
2009041155.tif 000012
【図１１】
2009041155.tif 000013
【図１２】
2009041155.tif 000014
【図１３】
2009041155.tif 000015
【図１４】
2009041155.tif 000016
【図１５】
2009041155.tif 000017
【図１６】
2009041155.tif 000018
【図１７】
2009041155.tif 000019
【図１８】
2009041155.tif 000020
【図１９】
2009041155.tif 000021
【図２０】
2009041155.tif 000022